(57)【要約】【課題】釣り竿や柄杓に取り付けて使用する釣り用ロープ具であって、釣り竿や柄杓の柄にからまるのを防止する釣り用ロープ具を提供する。【解決手段】釣り用ロープ具５は、第１構成部２０と、第１構成部２０と固定部５０により固定された第２構成部４０と、ナス環６０と、撚り戻し７０と、スナップ８０とを有している。第１構成部２０は、紐状の繊維材をウレタン樹脂で被覆してなる線条部材により形成され、螺旋状部２２と、螺旋状部２２の両端に連設された直線状部２４、２８とを有している。また、第２構成部４０は、直線状の金属製のワイヤをウレタン樹脂で被覆してなる線条部材により形成されている。【選択図】図１
0003182655.tif 000002
【実用新案登録請求の範囲】
【請求項１】
魚釣りに使用する釣り用ロープ具であって、
紐状の繊維材を有する線条部材により形成された第１構成部で、螺旋状に巻回された螺旋状部と、螺旋状部の一方の端部から連設された直線状の第１直線状部と、螺旋状部の他方の端部から連設された直線状の第２直線状部と、を有する第１構成部と、
直線状の金属製のワイヤを有する線条部材により形成された第２構成部で、一方の端部が第１構成部の第２直線状部の螺旋状部側と反対側の端部と固定された第２構成部と、
第１構成部の第１直線状部の螺旋状部とは反対側の端部に取り付けられた第１係止具と、
第２構成部の第１構成部側と反対側の端部である他方の端部に取り付けられた第２係止具と、
を有することを特徴とする釣り用ロープ具。
【請求項２】
第１構成部の第１直線状部の端部には、線条部材を環状に形成した第１環状部が形成され、該第１環状部に第１係止具が取り付けられ、第１係止具がナス環であり、
第２構成部の端部には、線条部材を環状に形成した第２環状部が形成され、該第２環状部に第２係止具が取り付けられ、第２係止具が、第２構成部に係止された撚り戻しと、該撚り戻しに係止されたスナップとから形成されていることを特徴とする請求項１に記載の釣り用ロープ具。
【請求項３】
第１構成部における線条部材においては、紐状の繊維材の表面に樹脂が被覆され、第２構成部における線条部材においては、ワイヤの表面に樹脂が被覆されていることを特徴とする請求項１又は２に記載の釣り用ロープ具。
【請求項４】
魚釣りに使用する釣り用ロープ具であって、
紐状の繊維材を樹脂により被覆してなる線条部材により形成された第１構成部で、螺旋状に巻回された螺旋状部と、螺旋状部の一方の端部から連設された直線状の第１直線状部と、第１直線状部の端部に設けられた第１環状部で、線条部材を環状に形成してなる第１環状部と、螺旋状部の他方の端部から連設された直線状の第２直線状部と、を有する第１構成部と、
直線状の金属製のワイヤを樹脂により被覆してなる線条部材により形成された第２構成部で、一方の端部が第１構成部の第２直線状部の螺旋状部側と反対側の端部と固定具により固定され、直線状を呈する直線状部と、該直線状部の第１構成部側と反対側の端部である他方の端部に設けられた第２環状部で、線条部材を環状に形成してなる第２環状部と、を有する第２構成部と、
第１構成部の第１環状部に取り付けられたナス環と、
第２構成部の第２環状部に取り付けられた撚り戻しと、
撚り戻しの第２環状部とは反対側に取り付けられたスナップと、
を有することを特徴とする釣り用ロープ具。
【考案の詳細な説明】
【技術分野】
【０００１】
本考案は、魚釣り用のロープ具に関するものであり、特に、釣り竿や柄杓（ひしゃく）の柄に取りつけるロープ具に関するものである
【背景技術】
【０００２】
従来より、釣り竿に尻手ロープを取りつけるための取付部を設け、該取付部に尻手ロープを取りつけることが知られている（特許文献１参照）。このように釣り竿に尻手ロープを取りつけることにより、釣り竿が水中に落下するのを防止することができる。
【０００３】
ここで、従来における尻手ロープとしては、図１２に示すように構成され、図１２に示す尻手ロープ１００においては、ロープ本体１０２の一方の端部にナス環１０４が連結され、他方の端部に撚り戻し１０６が連結され、撚り戻し１０６にさらにスナップ１０８が連結されている。ロープ本体１０２は、紐状の繊維材の周囲をウレタンで被覆した紐状部材（線条部材）により形成され、螺旋状に巻回してなる螺旋状部１０２ａと、螺旋状部１０２ａの一方の端部から連設された直線状部１０２ｂと、螺旋状部１０２ａの他方の端部から連設された直線状部１０２ｃとを有している。直線状部１０２ｂのナス環１０４側の端部は、折り返した状態で固定することによりループ状に形成され、該ループ状の部分にナス環１０４が接続されている。また、直線状部１０２ｃの撚り戻し１０６側の端部は、折り返した状態で固定することによりループ状に形成され、該ループ状の部分に撚り戻し１０６が固定されている。
【０００４】
図１２の構成の尻手ロープにおいては、例えば、スナップ１０８を釣り竿（特に、竿尻）に取り付けられたリング状の取付け具に取り付け、ナス環１０４を固定部に取り付ける。固定部としては、例えば、船釣りの場合には、船の船べりに取りつけたロッドキーパーに取り付ける。
【０００５】
また、図１２の構成の尻手ロープは、釣り竿の他に撒き餌のための柄杓の柄に取り付けて使用する場合もある。
【先行技術文献】
【特許文献】
【０００６】
【特許文献１】特開２００１−１６９６８７号公報
【考案の概要】
【考案が解決しようとする課題】
【０００７】
しかし、従来からの尻手ロープによれば、釣り竿や柄杓の柄にからまってしまうという問題があった。すなわち、尻手ロープのロープ本体がウレタンで被覆した繊維材により形成されているため、尻手ロープが釣り竿や柄杓の柄にからまってしまい、からまった尻手ロープが釣り竿や柄杓の操作に邪魔となるという問題があった。
【０００８】
そこで、本考案が解決しようとする問題点は、釣り竿や柄杓に取り付けて使用する釣り用ロープ具であって、釣り竿や柄杓の柄にからまるのを防止する釣り用ロープ具を提供することを目的とするものである。
【課題を解決するための手段】
【０００９】
本考案は上記問題点を解決するために創作されたものであって、第１には、魚釣りに使用する釣り用ロープ具であって、紐状の繊維材を有する線条部材により形成された第１構成部で、螺旋状に巻回された螺旋状部と、螺旋状部の一方の端部から連設された直線状の第１直線状部と、螺旋状部の他方の端部から連設された直線状の第２直線状部と、を有する第１構成部と、直線状の金属製のワイヤを有する線条部材により形成された第２構成部で、一方の端部が第１構成部の第２直線状部の螺旋状部側と反対側の端部と固定された第２構成部と、第１構成部の第１直線状部の螺旋状部とは反対側の端部に取り付けられた第１係止具と、第２構成部の第１構成部側と反対側の端部である他方の端部に取り付けられた第２係止具と、を有することを特徴とする。
【００１０】
第１の構成の釣り用ロープ具においては、第２係止具を釣り竿等の棒状部材側に取り付け、第１係止具を固定部材に取り付けて使用する。すると、棒状部材を手に持って扱う場合に、第２構成部が金属製のワイヤにより形成されているので、棒状部材に巻き付くことがなく、釣り用ロープ具が棒状部材にからまるのを防止することができる。
【００１１】
また、第２には、上記第１の構成において、第１構成部の第１直線状部の端部には、線条部材を環状に形成した第１環状部が形成され、該第１環状部に第１係止具が取り付けられ、第１係止具がナス環であり、第２構成部の端部には、線条部材を環状に形成した第２環状部が形成され、該第２環状部に第２係止具が取り付けられ、第２係止具が、第２構成部に係止された撚り戻しと、該撚り戻しに係止されたスナップとから形成されていることを特徴とする。
【００１２】
よって、スナップを釣り竿等の棒状部材側に取り付け、ナス環を固定部材に取り付けて使用する。スナップと第２構成部間に撚り戻しが設けられているので、第２構成部がスナップに対して回転可能となり、釣り用ロープ具が過度に捻れることがない。
【００１３】
また、第３には、第１又は第２の構成において、第１構成部における線条部材においては、紐状の繊維材の表面に樹脂が被覆され、第２構成部における線条部材においては、ワイヤの表面に樹脂が被覆されていることを特徴とする。
【００１４】
また、第４には、魚釣りに使用する釣り用ロープ具であって、紐状の繊維材を樹脂により被覆してなる線条部材により形成された第１構成部で、螺旋状に巻回された螺旋状部と、螺旋状部の一方の端部から連設された直線状の第１直線状部と、第１直線状部の端部に設けられた第１環状部で、線条部材を環状に形成してなる第１環状部と、螺旋状部の他方の端部から連設された直線状の第２直線状部と、を有する第１構成部と、直線状の金属製のワイヤを樹脂により被覆してなる線条部材により形成された第２構成部で、一方の端部が第１構成部の第２直線状部の螺旋状部側と反対側の端部と固定具により固定され、直線状を呈する直線状部と、該直線状部の第１構成部側と反対側の端部である他方の端部に設けられた第２環状部で、線条部材を環状に形成してなる第２環状部と、を有する第２構成部と、第１構成部の第１環状部に取り付けられたナス環と、第２構成部の第２環状部に取り付けられた撚り戻しと、撚り戻しの第２環状部とは反対側に取り付けられたスナップと、を有することを特徴とする。
【００１５】
第４の構成の釣り用ロープ具においては、スナップを釣り竿等の棒状部材側に取り付け、ナス環を固定部材に取り付けて使用する。すると、棒状部材を手に持って扱う場合に、第２構成部が金属製のワイヤにより形成されているので、棒状部材に巻き付くことがなく、釣り用ロープ具が棒状部材にからまるのを防止することができる。また、スナップと第２構成部間に撚り戻しが設けられているので、第２構成部がスナップに対して回転可能となり、釣り用ロープ具が過度に捻れることがない。
【考案の効果】
【００１６】
本考案に基づく釣り用ロープ具によれば、第２係止具を釣り竿等の棒状部材側に取り付け、第１係止具を固定部材に取り付けて使用することにより、棒状部材を手に持って扱う場合に、第２構成部が金属製のワイヤにより形成されているので、棒状部材に巻き付くことがなく、釣り用ロープ具が棒状部材にからまるのを防止することができる。
【図面の簡単な説明】
【００１７】
【図１】実施例に基づく釣り用ロープ具の平面図である。
【図２】図１における第１構成部側の要部拡大図である。
【図３】図１における第２構成部側の要部拡大図である。
【図４】図２の要部拡大図である。
【図５】図４において、カバー部を除いた状態を示す平面図である。
【図６】図２の要部拡大図である。
【図７】図６において、カバー部を除いた状態を示す平面図である。
【図８】図３の要部拡大図である。
【図９】図８において、カバー部を除いた状態を示す平面図である。
【図１０】実施例に基づく釣り用ロープ具の使用状態図である。
【図１１】実施例に基づく釣り用ロープ具の使用状態図である。
【図１２】従来における尻手ロープの平面図である。
【考案を実施するための形態】
【００１８】
本考案においては、釣り竿や柄杓に取り付けて使用する釣り用ロープ具であって、釣り竿や柄杓の柄にからまるのを防止する釣り用ロープ具を提供するという目的を以下のようにして実現した。
【００１９】
本考案に基づく釣り用ロープ具５は、図１〜図９に示すように構成され、ロープ本体１０と、ロープ本体１０の一方の端部に接続して設けられたナス環（第１係止具）６０と、ロープ本体１０の他方の端部に接続して設けられた撚り戻し７０と、撚り戻し７０に接続して設けられたスナップ８０とを有している。撚り戻し７０とスナップ８０とで第２係止具が構成される。
【００２０】
ここで、ロープ本体１０は、第１構成部２０と、第１構成部２０と固定部（固定具）５０により接続された第２構成部４０とを有している。
【００２１】
第１構成部２０は、螺旋状部２２と、螺旋状部２２の一方の端部に連設された直線状部（第１直線状部）２４と、直線状部２４の螺旋状部２２とは反対側の端部を折返し状にして固定部３０により固定することにより形成された環状部（第１環状部）２６と、螺旋状部２２の他方の端部に連設された直線状部（第２直線状部）２８とを有している。
【００２２】
ここで、螺旋状部２２と直線状部２４、２８と環状部２６とは、１本の線条部材により形成され、具体的には、直線状（紐状としてもよい）の繊維材（例えば、ポリアミド繊維（具体的には、高強度ポリアミド繊維））の周囲をウレタン樹脂で被覆した線条部材（線材）により形成されている。すなわち、螺旋状部２２と直線状部２４、２８と環状部２６とを構成する線材は、第２構成部４０を構成する直線状部４２や環状部４４を構成する線材よりも柔軟で可撓性が高く構成されている。
【００２３】
螺旋状部２２は、紐状部材を螺旋状に巻回して形成され、伸縮自在に形成されている。この螺旋状部２２は、カールコード又はスパイラルコードと呼ばれるものといえる。また、直線状部２４、２８は、直線状（直線条としてもよい）に形成されている。
【００２４】
また、固定部３０は、線条部材の端部と該端部よりも基端側（螺旋状部２２側）の部分とをかしめて固定するカシメ部（カシメ具）３２と、該カシメ部３２を被覆する筒状のカバー部３４とを有している。カシメ部３２は、金属製であり、カバー部３４は、柔軟性と弾力性のある素材（例えば、シリコーンゴム等の合成樹脂）により形成されている。
【００２５】
また、第２構成部４０は、直線状部４２と、直線状部４２の第１構成部２０とは反対側の端部（他方の端部）を折返し状にして固定部４６により固定することにより形成された環状部（第２環状部）４４とを有している。
【００２６】
ここで、直線状部４２と環状部４４とは、１本の線条部材により形成され、具体的には、直線状のワイヤの周囲をウレタン樹脂で被覆した線条部材（線材）により形成されている。直線状部４２は、直線状を呈している。なお、ワイヤは金属製であり、具体的には、ステンレスにより形成されている。
【００２７】
また、固定部４６は、線条部材の端部と該端部よりも基端側（線条部材における該端部とは反対側の端部側）の部分とをかしめて固定するカシメ部（カシメ具）４８と、該カシメ部４８を被覆する筒状のカバー部４９とを有している。カシメ部４８は、金属製であり、カバー部４９は、柔軟性と弾力性のある素材（例えば、シリコーンゴム等の合成樹脂）により形成されている。
【００２８】
第１構成部２０と第２構成部４０の長さは任意であるが、第１構成部２０の長手方向の長さと第２構成部４０の長手方向の長さとは略同一に形成されている。
【００２９】
また、固定部５０は、第１構成部２０の直線状部２８と第２構成部４０の直線状部４２とを連結する部材であり、直線状部２８の端部（螺旋状部２２と反対側の端部）と直線状部４２の端部（一方の端部）とをかしめて固定するカシメ部（カシメ具）５２と、該カシメ部５２を被覆する筒状のカバー部５４とを有している。カシメ部５２は、金属製であり、カバー部５４は、柔軟性と弾力性のある素材（例えば、シリコーンゴム等の合成樹脂）により形成されている。固定部５０において、主としてカシメ部５２が、直線状部２８の端部と直線状部４２の端部とを固定する固定具としての機能を有する。
【００３０】
また、ナス環６０は、略環状をなすナス環本体６２と、環状部６４とを有し、ナス環本体６２は、略Ｊ字状を有し、環状の一部に隙間を有する本体部６２ａと、本体部６２ａの隙間を開閉する開閉部（開閉レバー）６２ｂとを有している。開閉部６２ｂは、線条部材を略Ｕ字状に形成することにより構成され、本体部６２ａの基端部分の回動軸を中心に回動自在に形成され、本体部６２ａ内に設けられたバネ部材により該隙間を閉じる方向に付勢されていて、開閉部６２ｂを内側に押すことにより該隙間が開状態となる。また、本体部６２ａの基端側には、環状部６４を回転可能に軸支する軸部６２ａ−１が設けられている。
【００３１】
また、環状部６４は、環状を呈し、軸部６２ａ−１を挿通するための穴部が設けられている。軸部６２ａ−１の先端は、該穴部よりも大径に形成されて、環状部６４が軸部６２ａ−１から脱落しないように形成されている。第１構成部２０における環状部２６は、環状部６４に係止されている。つまり、第１構成部２０を構成する線条部材の端部を環状部６４に挿通した後にカシメ部３２により固定することにより、環状部２６が環状部６４に係止されている。
【００３２】
また、撚り戻し７０は、略円柱状の本体部７２と、本体部７２に対して回転可能に軸支されている環状部７４と、本体部７２に対して回転可能に軸支されている環状部７６とを有し、環状部７４と環状部７６とは、互いに本体部７２の反対側に設けられている。なお、環状部７４は、第２構成部４０の環状部４４に係止されている。つまり、第２構成部４０を構成する線条部材の端部を環状部７６に挿通した後にカシメ部４８により固定することにより、環状部７４が環状部４４に係止されている。また、環状部７６には、スナップ８０の開閉部８６が挿通されて、スナップ８０と撚り戻し７０とが連結されている。
【００３３】
また、スナップ８０は、支持板部８２と、開閉部８４と、開閉部８６とを有している。開閉部８４は、逆Ｕ字状に形成され、支持板部８２に対して開閉自在に形成され、開閉部８６も、支持板部８２に対して開閉自在に形成されている。開閉部８４は、支持板部８２における折返し状の掛止部８２ａに掛止することにより閉状態となり、掛止部８２ａへの掛止を解除することにより開状態となる。
【００３４】
また、開閉部８６は、略Ｕ字状を呈し、支持板部８２における折返し状の掛止部８２ｂに掛止することにより閉状態となり、掛止部８２ｂへの掛止を解除することにより開状態となる。開閉部８４の開口部は、開閉部８６の開口部よりも大きく形成されている。開閉部８４と開閉部８６とは、１本の金属製の線条部材により形成されている。
【００３５】
上記構成の釣り用ロープ具５の使用方法について説明する。釣り用ロープ具５の使用に際しては、図１０に示すように、スナップ８０を釣り竿等の棒状部材２００に取り付け、ナス環６０を固定部材（図１０では図示せず）に取り付けて使用する。スナップ８０を棒状部材２００に取り付けるには、図１０に示すように、Ｄ環２０４にベルト２０２を挿通した状態で、ベルト２０２を棒状部材２００に巻き付けて固定し、Ｄ環２０４にスナップ８０を係止させる。ベルト２０２は、一方の面に面ファスナが設けられた帯状部材であり、スナップ８０の開閉部８４を開状態にして、Ｄ環２０４に開閉部８４を挿通し、その後、開閉部８４を閉状態にする。
【００３６】
図１０に示す構成において、棒状部材２００を手に持って扱う場合に、第２構成部４０の直線状部４２が金属製のワイヤにより形成されているので、棒状部材２００に巻き付くことがなく、釣り用ロープ具５が棒状部材２００にからまるのを防止することができる。また、スナップ８０と第２構成部４０間に撚り戻し７０が設けられているので、第２構成部４０がスナップ８０に対して回転可能となり、釣り用ロープ具５が過度に捻れることがない。
【００３７】
棒状部材２００が釣り竿の場合の例をさらに説明すると、図１１に示すように構成され、釣り竿２００−１の基端側の部分にはベルト２０２が巻回して固定され、ベルト２０２にはＤ環２０４が係止されている。つまり、Ｄ環２０４にベルト２０２を挿通した状態で、ベルト２０２を釣り竿２００−１に巻き付けて固定している。なお、釣り竿２００−１は、固定部材２１０に固定されたロッドキーパー２２０の支持部２２６に固定され、固定部材２１０は、例えば、船の船べりに固定された部材であり、ロッドキーパー２２０の台部２２２と固定螺子２２４により固定部材２１０を挟んだ状態で固定する。釣り用ロープ具５のナス環６０側は、例えば、この固定螺子２２４に係止する。つまり、固定螺子２２４に第１構成部２０の直線状部２４を巻き付けてナス環６０を直線状部２４に係止させることにより、釣り用ロープ具５を固定部材（ロッドキーパー２２０における固定螺子２２４）に固定する。
【００３８】
図１１の構成において、釣り竿２００−１を支持部２２６から外して操作する場合に、釣り用ロープ具５が釣り竿２００−１に巻き付こうとしても、釣り用ロープ具５の釣り竿２００−１側には第２構成部４０が設けられ、第２構成部４０の直線状部４２が金属製のワイヤにより形成されているので、第２構成部４０が釣り竿２００−１に巻き付くことがなく、釣り用ロープ具５が釣り竿２００−１にからまるのを防止することができる。
【００３９】
また、第１構成部２０における線条部材や第２構成部４０における線条部材においては、ウレタン樹脂が被覆されているので、繊維材やワイヤの損傷を防止するとともに、線条部材の表面の滑りを向上させることができる。
【００４０】
なお、図１１では、釣り用ロープ具５を取り付ける棒状部材として釣り竿の例を説明したが、他の棒状部材でもよく、例えば、撒き餌のための柄杓の柄であってもよい。柄杓の柄の場合でも、スナップ８０を柄側に取り付ける（Ｄ環にベルトを挿通した状態で、ベルトを柄に巻き付けて固定し、スナップを該Ｄ環に係止させる）ことにより、釣り用ロープ具５が柄にからまるのを防止することができる。
【００４１】
また、第１構成部２０を構成する線条部材と第２構成部４０を構成する線条部材の被覆材は、ウレタン樹脂であるとしたが他の樹脂であってもよい。
【００４２】
また、上記の説明では、第１構成部２０の端部に第１係止具としてナス環６０を設け、第２構成部４０の端部に第２係止具としての撚り戻し７０とスナップ８０を設けるとしたが、第１係止具としては、ナス環６０以外の他の係止具でもよく、第２係止具として、撚り戻し７０及びスナップ８０以外の他の係止具でもよく、例えば、第１構成部２０の端部に撚り戻しを設けるとともに、該撚り戻しにスナップを設け、第２構成部４０の端部にナス環を設ける構成としてもよい。
【符号の説明】
【００４３】
５  釣り用ロープ具
１０  ロープ本体
２０  第１構成部
２２  螺旋状部
２４、２８、４２  直線状部
２６、４４、６４、７４、７６  環状部
３０、４６、５０  固定部
３２、４８、５２  カシメ部
３４、４９、５４  カバー部
４０  第２構成部
６０  ナス環
６２  ナス環本体
６２ａ  本体部
６２ａ−１  軸部
６２ｂ、８４、８６  開閉部
７０  撚り戻し
８０  スナップ
【図１】
0003182655.tif 000003
【図２】
0003182655.tif 000004
【図３】
0003182655.tif 000005
【図４】
0003182655.tif 000006
【図５】
0003182655.tif 000007
【図６】
0003182655.tif 000008
【図７】
0003182655.tif 000009
【図８】
0003182655.tif 000010
【図９】
0003182655.tif 000011
【図１０】
0003182655.tif 000012
【図１１】
0003182655.tif 000013
【図１２】
0003182655.tif 000014